(57)【要約】【課題】本発明は、異なる原稿読取モードにおいて読み取った原稿画像の明るさをほぼ同等にすることができる画像読取装置の提供。【解決手段】第１の原稿読取手段が第３の白色基準板を読み取り出力する第１の出力と、第２の原稿読取手段が第２の白色基準板を読み取り出力する第２の出力とを目標値に調整するゲイン調整手段を設け、第１の原稿読取手段が第３の白色基準板を、第２の原稿読取手段が第２の白色基準板をそれぞれ読み取ったシェーディング補正用データ若しくはシェーディング補正前又は後の画像データに乗ずる補正係数を、ゲイン調整手段によって調整された第１の原稿読取手段により第１、第３の白基準板を読み取った第１、第３の補正用読取データと、ゲイン調整手段によって調整された第２の原稿読取手段により第２の白基準板を読み取った第２の補正用読取データとの３つのデータで読取モードに応じ補正する補正手段を備えている。【選択図】図４
2011071690.tif 000002
【特許請求の範囲】
【請求項１】
搬送原稿の表裏に配置され、第１のコンタクトガラスを介し搬送原稿を読取る第１の原稿読取手段と、第２のコンタクトガラスを介し搬送原稿を読取る第２の原稿読取手段とを具備し、
前記第１の原稿読取手段を載置原稿面に沿って移動可能に支持し、
前記搬送経路に沿って走行する搬送原稿の画像を前記第１、第２の原稿読取手段の一方若しくは両方で読取る流し読みモードと、原稿を第３のコンタクトガラス上に載置した状態で前記第１の原稿読取手段を走査して画像を読取る固定読みモードとを制御する制御手段を備えた画像読取装置において、
前記第１、第２のコンタクトガラスは表面にコーティング処理を施こした平行平面ガラスを、前記第３のコンタクトガラスは表面にコーティング処理を施こさない平行平面ガラスを用い、
前記第１のコンタクトガラスに配設され前記第１の原稿読取手段のデータ取得用の第１の白基準板と、前記第２、第３のコンタクトガラスに配設され前記第１、第２の原稿読取手段の出力ゲイン調整用の第２、第３の白色基準板と、
前記第１の原稿読取手段が前記第３の白色基準板を読み取り出力する第１の出力と、前記第２の原稿読取手段が前記第２の白色基準板を読み取り出力する第２の出力とを目標値に調整するゲイン調整手段と、
前記第１の原稿読取手段が前記第３の白色基準板を、前記第２の原稿読取手段が前記第２の白色基準板をそれぞれ読み取ったシェーディング補正用データ若しくはシェーディング補正前又は後の画像データに乗ずる補正係数を、前記ゲイン調整手段によって調整された前記第１の原稿読取手段により前記第１、第３の白基準板を読み取った第１、第３の補正用読み取りデータと、前記ゲイン調整手段によって調整された前記第２の原稿読取手段により前記第２の白基準板を読み取った第２の補正用読み取りデータとの３つのデータで上記読み取りモードに応じ補正する補正手段を備えたことを特徴とする画像処理装置。
【請求項２】
前記第1の白基準板は、前記搬送原稿の搬送経路内に配設され、前記第１、第２の原稿読取手段による第１乃至第３の補正用読み取りデータ取得後、前記搬送経路内から取り外し可能な調整用治具部材である請求項１記載の画像処理装置。
【請求項３】
前記コーティング処理による透過率の減少分、前記第１、第２のゲイン調整手段によるゲイン調整を補正してなる請求項１に記載の画像処理装置。
【請求項４】
前記コーティング処理は静電気防止コートから成る請求項１に記載の画像処理装置。
【請求項５】
前記流し読みモードで前記第１のコンタクトガラスを介し前記搬送原稿を読取る前記第１の原稿読取手段のシェーディング補正用データは、前記第１の原稿読取手段が前記第３の白基準板を読み取ったシェーディング補正用データから成る請求項１に記載の画像処理装置。
【発明の詳細な説明】
【技術分野】
【０００１】
本発明は、原稿を読み取る原稿読取装置に関し、特に搬送原稿の画像を原稿読取手段で読取る流し読みモードと、コンタクトガラス上に載置した原稿を原稿読取手段で読取る固定読みモードを備えた画像読取装置に関するものである。  
【背景技術】
【０００２】
この種の画像読取装置は、原稿を照明する光源と、その光源で照明された原稿の反射光をラインセンサで読取る構成となっている。このため、光源の光量にバラツキが生じると読取った画像に斑が発生する。そこで、一般に、基準白色板を基準にして、原稿の読取位置による光量のバラツキを補正するシェーディング補正の補正データの取得が読取開始前に行われ、その取得した補正データに基づきシェーディング補正が画像処理の前処理として行われている。  
【０００３】
例えば特許文献１に開示される『シェーディング補正技術』は、スキャナ［画像読取装置］で読み取った原稿を再現性よく出力するために、シェーディング補正精度を自動設定するようにして、常に最適なシェーディング補正を行うようにしている。  
【０００４】
また、画像読取装置は特許文献２に開示される様に、搬送原稿の画像を原稿読取手段で読取る流し読みモードと、コンタクトガラス上に載置した原稿を原稿読取手段で読取る固定読みモードを備えた画像読取装置が知られている。
【０００５】
通常、上述の様に二つの読取モードを備えた画像読取装置は、図９で示す様にコンタクトガラスＣＧ１乃至ＣＧ３は同一のガラス材を所望のサイズに加工したものが用いられ、またコンタクトガラスＣＧ２の近傍に白基準板ＷＢ２が、ＣＧ３の近傍に白基準板ＷＢ３が配設され、この白基準板ＷＢ１、ＷＢ３を用いて各コンタクトガラスを通し原稿読取手段ＲＤ１、ＲＤ２のシェーディング補正を行なっている。当然、流し読みモードにおいて、原稿読取手段ＲＤ１をコンタクトガラスＣＧ１の下方に移動停止させた状態で原稿を読取る場合、コンタクトガラスＣＧ１とコンタクトガラスＣＧ３の透過率は同一であることから、原稿読取手段ＲＤ１のシェーディング補正は上記の補正条件で同一で調整する必要が無い。
【０００６】
更に近年、高画質の画像を印刷した原稿より鮮明に読取るために読み取りの解像度が鰻上りに高く成る傾向に有ると共に、固定読みモードでの読み取りに替わって流し読みモードでの読み取りが主流と成り、原稿を搬送する自動原稿送り装置として搬送性能の向上に努めている。
【先行技術文献】
【特許文献】
【０００７】
【特許文献１】特開平１０−３４１３３７号公報
【特許文献２】特開２００２−１８２４３７号公報
【発明の概要】
【発明が解決しようとする課題】
【０００８】
ところが、高画質の画像を印刷した原稿として用いられる用紙は写真の印画紙に近い表面をコーティングしたものが使われることが多く、この様な原稿は多少の静電気を帯びた状態でもコンタクトガラス面で滑り難く、搬送斑無く正確に搬送することが難しい。
【０００９】
そこで、搬送斑無く正確に搬送させるために、流し読みモードで使用するコンタクトガラスの少なくとも搬送原稿面に静電防止用コーティングを施こすことに至ったが、このコーティング処理を施すことでコンタクトガラスの透過率が下がり、コーティング処理を施さないコンタクトガラスの透過率とで差が出来、この透過率の差が要因で特に同時両面読み取りで読取った画像に明暗が生じ、原稿に忠実な出力画像を得ることができないという問題が生じる。この原因としては、図９で示す装置構成では、コンタクトガラスＣＧ１に専用の白基準板が配置されていない為、流し読みモードにおいて、原稿の片面を読む原稿読取手段ＲＤ１のゲイン調整は、固定読みモードでの使用する白基準板ＷＢ３を使って行うことと成る。その結果、コーティング処理による透過率の違いによって原稿読取手段ＲＤ１と原稿読取手段ＲＤ２のゲインに差が生じ、同じ原稿を読んでも、一方が明るく、他方が暗いと言った明暗の違いが出きるためと考えられる。尚、コンタクトガラスＣＧ１、ＣＧ２と同様にコンタクトガラスＣＧ３にコーティング処理を施すことで上述の問題は解消することは出来るが、コンタクトガラスＣＧ３は取り扱う原稿の最大サイズより一回り大きなもので、コーティング処理費が高く、装置価格の高騰を招き実用的では無い。
【００１０】
本発明は、上記の問題点を解決するためになされたもので、その目的は、異なる原稿読取モードでシェーディング補正用データを補正することにより、各原稿読取モードにおいて読み取って得られる原稿画像の明るさをほぼ同等にすることができる画像読取装置を提供することにある。
【課題を解決するための手段】
【００１１】
本願発明の画像読取装置は、上記の課題を解決するために、原稿の搬送経路を跨ぎ配置され、第１のコンタクトガラスを介し搬送原稿を読取る第１の原稿読取手段と、第２のコンタクトガラスを介し搬送原稿を読取る第２の原稿読取手段とを具備し、前記第１の原稿読取手段を載置原稿面に沿って移動可能に支持し、前記搬送経路に沿って走行する搬送原稿の画像を前記第１、第２の原稿読取手段の一方若しくは両方で読取る流し読みモードと、原稿を第３のコンタクトガラス上に載置した状態で前記第１の原稿読取手段を走査して画像を読取る固定読みモードを制御する制御手段を備えた画像読取装置において、前記第１、第２のコンタクトガラスは表面にコーティング処理を施こした平行平面ガラスを、前記第３のコンタクトガラスは表面にコーティング処理を施こさない平行平面ガラスを用い、
前記第１のコンタクトガラスに配設され前記第１の原稿読取手段のデータ取得用の第１の白基準板と、前記第２、第３のコンタクトガラスに配設され前記第１、第２の原稿読取手段の出力ゲイン調整用の第２、第３の白色基準板と、前記第１の原稿読取手段が前記第３の白色基準板を読み取り出力する第１の出力と、前記第２の原稿読取手段が前記第２の白色基準板を読み取り出力する第２の出力とを目標値に調整するゲイン調整手段と、前記第１の原稿読取手段が前記第３の白色基準板を、前記第２の原稿読取手段が前記第２の白色基準板をそれぞれ読み取ったシェーディング補正用データ若しくはシェーディング補正前又は後の画像データに乗ずる補正係数を、前記ゲイン調整手段によって調整された前記第１の原稿読取手段により前記第１、第３の白基準板を読み取った第１、第３の補正用読み取りデータと、前記ゲイン調整手段によって調整された前記第２の原稿読取手段により前記第２の白基準板を読み取った第２の補正用読み取りデータとの３つのデータで上記読み取りモードに応じ補正する補正手段を備えたことを特徴としている。  
【００１２】
また、前記第1の白基準板は、前記搬送原稿の搬送経路内に配設され、前記第１、第２の原稿読取手段による第１乃至第３の補正用読み取りデータ取得後、前記搬送経路内から取り外し可能な調整用治具部材としている。
【００１３】
また、前記コーティング処理による透過率の減少分、前記第１、第２のゲイン調整手段によるゲイン調整を補正してなる。
【００１４】
更に、前記流し読みモードで前記第１のコンタクトガラスを介し前記搬送原稿を読取る前記第１の原稿読取手段のシェーディング補正用データは、前記第１の原稿読取手段が前記第３の白基準板を読み取ったシェーディング補正用データから成る。
【発明の効果】
【００１５】
本発明によれば、前記第１の原稿読取手段が前記第３の白色基準板を読み取り出力する第１の出力と、前記第２の原稿読取手段が前記第２の白色基準板を読み取り出力する第２の出力とを目標値に調整するゲイン調整手段を設け、前記第１の原稿読取手段が前記第３の白色基準板を、前記第２の原稿読取手段が前記第２の白色基準板をそれぞれ読み取ったシェーディング補正用データ若しくはシェーディング補正前又は後の画像データに乗ずる補正係数を、前記ゲイン調整手段によって調整された前記第１の原稿読取手段により前記第１、第３の白基準板を読み取った第１、第３の補正用読み取りデータと、前記ゲイン調整手段によって調整された前記第２の原稿読取手段により前記第２の白基準板を読み取った第２の補正用読み取りデータとの３つのデータで上記読み取りモードに応じ補正する補正手段を備えることで、画像読取装置の組み立て工程で、コーティング処理が施された第１、第２のコンタクトガラスと、コーティング処理を施さ無い第３のコンタクトガラスにそれぞれ白基準板を配設し、異なる読取モードに応じ第１、第２の原稿読取手段の前記補正係数を記憶設定後、前記第１のコンタクトガラスに配置した白基準板を除去し、各読取モードで原稿画像を読取る読取工程で、第２、第３のコンタクトガラスに配置した白基準板を使って第１、第２の原稿読取手段の各原稿読取モードに応じ読み取り開始直前のシェーディング補正用データを読み取り、そのシェーディング補正用データを記憶した前記補正係数に基づき調整することが出来、以って各原稿読取モードにおいて読み取って得られる原稿画像の明るさをほぼ同等にすることができ、原稿に忠実な出力画像を得ることができる画像読取装置を提供することができる。
【図面の簡単な説明】
【００１６】
【図１】本発明の一実施形態に係る自動原稿搬送装置を備えた画像読取装置を示す断面図である。
【図２】図１の原稿読取機構部の要部を拡大した断面図である。
【図３】処理制御部の概略構成を示すブロック図である。
【図４】ゲイン調整工程図である。
【図５】補正係数取得工程図である。
【図６】シェーディング補正工程図である。
【図７】本発明の第二の実施形態に係る自動原稿搬送装置の要部を拡大した断面図である。
【図８】本発明の第三の実施形態に係る自動原稿搬送装置の要部を拡大した断面図である。
【図９】従来の画像読取装置におけるシェーディング補正方法を説明するための概略図である。
【発明を実施するための形態】
【００１７】
［第一の実施形態］
以下、本発明の一実施形態を図面に基づいて説明する。図１は自動原稿搬送装置を備えた画像読取装置を示す断面図であり、図２はその原稿読取機構部の要部を拡大した断面図を示す。
【００１８】
この画像読取装置ＳＣは、原稿を第３のコンタクトガラス上に載置した状態で前記第１の原稿読取手段を走査して画像を読取るフラットベットスキャナＩＲと、このフラットベットスキャナＩＲの上方に載置され、ヒンジ等により開閉自在に取り付けられ、原稿を自動で分離しフラットベットスキャナＩＲの読取位置に搬送する自動原稿搬送装置ＤＦとから成る。
【００１９】
まず、フラットベットスキャナＩＲは、装置枠体ＢＤ１の上面に水平に隣接してコンタクトガラスＣＧ１、コンタクトガラスＣＧ３を配設している。また、装置枠体ＢＤ１の装置内部には、ガイドレールＧＤが引かれ、そのガイドレールＧＤに沿って第１の原稿読取手段ＲＤ１が載置原稿の原稿面に対し平行に移動自在に支持され、流し読みモードに位置付けられる移動位置Ｐ１と、第１の原稿読取手段ＲＤ１のシェーディング補正データを取得するために白基準板ＷＢ３とコンタクトガラスＣＧ３を介し対峙する移動位置P２と、コンタクトガラスＣＧ３上に載置される原稿を固定読みモードで読取る読取開始位置P３乃至読取終了位置P４との間で移動する。更に、画像読取装置ＳＣとして画像データの読み込み、各種データの保管を行う制御ユニットＣＵを備えている。
【００２０】
コンタクトガラスＣＧ１は自動原稿搬送装置ＤＦにより搬送される搬送原稿の片面を読取るために使用され、材質がフロートガラスで、板厚ｔ１が２．８±０．１ｍｍ、屈折率ｎが１．５の平行平面ガラスで、表面に搬送原稿との摺接で発生する静電気の帯電防止コートや、搬送原稿との摺接による汚れ、傷等を防止する防汚コート、防傷コート等のコーティング処理を施している。また、コンタクトガラスＣＧ３は人が一枚ずつ載置セットした原稿を読取るために使用され、コンタクトガラスＣＧ１と実質同一な平行平面ガラスが用いられ、このコンタクトガラスＣＧ３は使用形態からコーティング処理を施す必要が無く、コーティング処理は施されていない。
【００２１】
第１の原稿読取手段ＲＤ１は、読取原稿を照明する複数個主走査方向にＬＥＤを配列した光源ＬＤ１と、読取原稿からの反射光を反射する反射ミラーＭＲ１乃至ＭＲ４と、反射ミラーＭＲ１乃至ＭＲ４により導かれた反射光を集光する光学レンズＬＥ１と、光学レンズＬＥ１で集光された反射光のピント面に配置された受光素子ＣＣＤ１と、受光素子ＣＣＤ１が読取った出力データを格納するメモリＲＭに伝送制御するデータ転送ケーブル端子を備えている。
【００２２】
次に、自動原稿搬送装置ＤＦは、原稿を積層して収容する給紙トレイ１と、給紙トレイ１上の原稿を搬送する搬送ガイド経路２と、搬送ガイド経路２から排紙される原稿を収容する排紙トレイ３とを備えている。また、搬送ガイド経路２には前述のコンタクトガラスＣＧ１に原稿が摺接するための開口部と、ガイド経路を跨ぎコンタクトガラスＣＧ１の配置側とは逆側にコンタクトガラスＣＧ２を配置する開口部が形成されている。更に、コンタクトガラスＣＧ２の表面を摺接し通過する原稿をコンタクトガラスＣＧ２を介し読取る第２の原稿読取手段ＲＤ２とから成る。また、コンタクトガラスＣＧ２の原稿読取面に位置する挿入位置と原稿読取面から退避した退避位置に移動自在に支持された白基準板ＷＢ２を備えている。
【００２３】
コンタクトガラスＣＧ２は、コンタクトガラスＣＧ１と同一材で形成され、材質がフロートガラスで、板厚ｔ１が２．８±０．１ｍｍ、屈折率ｎが１．５の平行平面ガラスで、表面に搬送原稿との摺接で発生する静電気の帯電防止コートや、搬送原稿との摺接による汚れ、傷等を防止する防汚コート、防傷コート等のコーティング処理を施している。
【００２４】
第２の原稿読取手段ＲＤ２は、第１の原稿読取手段ＲＤ１と光学系構成はほぼ同様のもので、読取原稿を照明する複数個主走査方向にＬＥＤを配列した光源ＬＤ２と、読取原稿からの反射光を反射する反射ミラーＭＲ５乃至ＭＲ７と、反射ミラーＭＲ５乃至ＭＲ７により導かれた反射光を集光する光学レンズＬＥ２と、光学レンズＬＥ２で集光された反射光のピント面に配置された受光素子ＣＣＤ２と、受光素子ＣＣＤ２が読取った出力データをメモリＲＭに伝送制御する制御ユニットＣＵを備えている。そして、この第２の原稿読取手段ＲＤ２は、第１の原稿読取手段ＲＤ１と共に搬送される原稿の両面の画像が同時に読み取れる両面読取りを可能にする為に設けられている。
【００２５】
次に、制御ユニットＣＵについて図３に基づき説明する。図で示す様に制御ユニットＣＵは、原稿有無センサ、原稿読取手段ＲＤ１のホームポジションセンサ、自動原稿搬送装置ＤＦの各種センサ信号の入力、および外部Ｉ／Ｆとの通信制御、フラットベットスキャナＩＲの原稿読取手段ＲＤ１の搬送、自動原稿搬送装置ＤＦの原稿搬送の駆動を行う駆動回路の制御、画像処理部の制御を行う。また画像処理部において、入力される画像データは画像処理の前処理としてシェーディング補正を行い、以降の画像処理を経て外部Ｉ／ＦからホストのＰＣなどに出力される。更に、シェーディング補正部にて、シェーディング補正用データ若しくはシェーディング補正前又は後の画像データに制御部によって設定された補正係数を乗ずることにより読取モードに応じた補正を行う。
【００２６】
次に、第１、第２の原稿読取手段ＲＤ１、ＲＤ２の各読取特定を許容値内にゲイン調整（ステップ１）及びシェーディング補正の為の補正係数取得の方法（ステップ２）及びシェーディング補正（ステップ３）について図４乃至図６に基づき説明する。
【００２７】
［ゲイン調整について］
まず、図４に基づき第１、第２の原稿読取手段ＲＤ１、ＲＤ２の各読取特定を許容値内にゲイン調整ステップ１について説明する。第１、第２の原稿読取手段ＲＤ１、ＲＤ２は、反射ミラーＭＲの構成数や受光素子ＣＣＤの感度のバラツキ等により同一光源を使って同一白基準を読んだ場合でも出力値が異なる為に、その出力値を所定範囲内に抑えるゲイン調整を行う必要が有る。このゲイン調整は、同一原稿を流し読みモードで読み取った画像の明るさと固定読みモードで読み取った画像の明るさが異なったり、特に流し読みモードで原稿の両面を読み取った場合、表裏画面の明るさが異なるのを補正するものである。
【００２８】
図４で示す様に、組み立てが完了した装置（図１の状態）において、装置電源をＯＮ状態にし、第１、第２の原稿読取手段ＲＤ１、ＲＤ２の光源ＬＤ１、  ＬＤ２の光量が安定する時間を待って、第１の原稿読取手段ＲＤ１の受光素子ＣＣＤ１で白基準板ＷＢ３を読み取り、受光素子ＣＣＤ１の出力値を検出し、その出力値をゲインデータ１として図３で示す制御ユニットＣＵのゲイン調整メモリＲＭ０に一時記憶する。同時に、第２の原稿読取手段ＲＤ２の受光素子ＣＣＤ２で白基準板ＷＢ２を読み取り、受光素子ＣＣＤ２の出力値を検出し、その出力値をゲインデータ２として同様に制御ユニットＣＵのゲイン調整メモリＲＭ０に一時記憶する。
【００２９】
そして、ゲイン調整メモリＲＭ０に一時記憶した２つのゲインデータ１、２を図示せぬゲイン調整演算回路を使って、２つのゲインデータ１、２内で小さい出力側のデータを基準にし、その出力を最大出力として、その９５％を調整目標値に設定し、２つのゲインデータ１、２の値がその調整目標値に成るよう第１、第２の原稿読取手段ＲＤ１、ＲＤ２のゲイン調整を行い、ゲイン調整値１、２として制御ユニットＣＵのゲイン調整メモリＲＭ０に記憶する。このゲイン調整は、装置組立工程内だけで無く、画像を読み取る度に装置電源をＯＮ状態にした際に必ず実行され、光源の劣化、環境温度等の変化を捉え、第１、第２の原稿読取手段ＲＤ１、ＲＤ２のゲイン調整が行われる。
【００３０】
［補正係数取得の方法及びその保管について］
次に、図５に基づき補正係数の取得・保管に関する第１の調整工程ステップ２について説明する。上記ステップ１で第１、第２の原稿読取手段ＲＤ１、ＲＤ２の各読取特定を許容値内にゲイン調整した後、電源をオンした状態で、ゲイン調整データ取得前であれば、フラットベットスキャナＩＲに搭載した制御ユニットＣＵの制御ＣＰＵがゲイン調整データ取得前であることを判断し、図５に示すステップ１のゲイン調整用補正係数取得モードを起動する。その際、自動原稿搬送装置ＤＦを上方に開放し、第１のコンタクトガラスＣＧ１上に予め準備しておいた白基準板（調整用治具部材）ＷＢ１を仮り置きし、その仮り置き状態で自動原稿搬送装置ＤＦを下方にゆっくり下げ、搬送ガイド経路２の隙間を利用し白基準板ＷＢ１を第１のコンタクトガラスＣＧ１と搬送ガイド経路２との間に配置する。
【００３１】
このステップ２の起動で、第１の原稿読取手段ＲＤ１が白基準板ＷＢ３と対峙する移動位置P２（図１参照）に移動調整されると共に、照明光源ＬＤ１を点灯し、照明光源ＬＤ１の光量が安定する時間を待って白基準板ＷＢ３からの反射光の主走査方向における光量分布データとして受光素子ＣＣＤ１により取得して、まず受光素子ＣＣＤ１を取得データによりゲイン調整を行い、調整後にその取得データを補正係数算出用データ３として制御ＣＰＵが管理する補正係数格納メモリＲＭ１に一時記憶保管する。
【００３２】
引き続き第１の原稿読取手段ＲＤ１は、先に仮置きした白基準板ＷＢ１（図２点線参照）と対峙する移動位置P１（図１参照）に移動調整されると共に、照明光源ＬＤ１を再点灯し、照明光源ＬＤ１の光量が安定する時間を待って白基準板ＷＢ１からの反射光の主走査方向における光量分布データとして受光素子ＣＣＤ１により取得して、その取得データを補正係数算出用データ１として制御ＣＰＵが管理する補正係数格納メモリＲＭ１に一時記憶保管する。
【００３３】
同時に白基準板ＷＢ２と対峙する第２の原稿読取手段ＲＤ２は、照明光源ＬＤ２を点灯し、照明光源ＬＤ２の光量が安定する時間を待って白基準板ＷＢ２からの反射光の主走査方向における光量分布データとして受光素子ＣＣＤ２により取得して、まず受光素子ＣＣＤ１を取得データによりゲイン調整を行い、調整後にその取得データを補正係数算出用データ２として制御ＣＰＵが管理する補正係数格納メモリＲＭ１に一時記憶保管する。
【００３４】
以上、補正係数算出用データ１、２、３を補正係数格納メモリＲＭ１に一時記憶保管完了後、制御ＣＰＵはその補正係数算出用データ１、２、３より補正係数を算出し、ゲイン調整用の補正係数１、２、３として図３に示す補正係数格納メモリＲＭ１に記憶保管する。
【００３５】
尚、補正係数１、２、３の各補正係数には、先に説明したコーティング処理による第１、第２のコンタクトガラスの透過率の減少分が反映した状態にある。また、このゲイン調整完了後、調整用治具部材として仮置きされた白基準板ＷＢ１は第１のコンタクトガラスＣＧ１上からとり除かれる。また、調整時間及び調整の手間を無視すれば白基準板ＷＢ１は、他の白基準板ＷＢ２、ＷＢ３で代用することも可能である。
【００３６】
［各読取モードに応じたシェーディング補正について］
次に、補正係数１、２、３の各補正係数が補正係数格納メモリＲＭ１に記憶保管されたことを判断した処理制御部ＣＰＵは、図６に示すステップ３のシェーディング補正調整モードを起動する。このシェーディング補正調整モードは、先のゲイン調整工程により各照明光源ＬＤ１、ＬＤ２の光量劣化や装置環境温度変化等を考慮しゲイン補正された第１、第２の原稿読取手段ＲＤ１、ＲＤ２で、実際に読取を行う動作直前に、各読取モード毎に実行されることとなる。
【００３７】
尚、以下の説明に当たり、本実施における各条件は次の通りとする。
第１のコンタクトガラスＣＧ１：コーティング処理有り  透過率  ９５%
第２のコンタクトガラスＣＧ２：コーティング処理有り  透過率  ９５%
第３のコンタクトガラスＣＧ３：コーティング処理なし  透過率  ９８%
第１の原稿読取手段ＲＤ１における反射率９４%の反射ミラー４枚
第２の原稿読取手段ＲＤ２における反射率９４%の反射ミラー３枚
白基準板ＷＢ２の反射率90%
白基準板ＷＢ３の反射率90%
とした場合である。
【００３８】
＜固定読取モード時の調整方法＞
原稿が第３のコンタクトガラスＣＧ３上に載置すると、図示せぬ原稿検知センサが第３のコンタクトガラスＣＧ３上に原稿が載置されたことを検知して処理制御部ＣＰＵに信号を与え、この信号を受け処理制御部ＣＰＵの固定読取モードが起動する。この起動により、第１の原稿読取手段ＲＤ１が白基準板ＷＢ３と対峙する移動位置P２に移動調整されると共に、照明光源ＬＤ１を点灯し、照明光源ＬＤ１の光量が安定する時間を待って白基準板ＷＢ３からの反射光の主走査方向における各光量値をシェーディング補正データとして受光素子ＣＣＤ１により取得して、その取得データをシェーディング補正データ１として図３で示すシェーディング補正メモリＲＭ２に記憶保管する。そして、そのシェーディング補正データ１を先に補正係数格納メモリＲＭ１に記憶保管した補正係数３のデータ値を使って補正する。
【００３９】
＜流し読取モード片面読取時の調整方法＞
原稿が自動原稿搬送装置ＤＦの給紙トレイ１に載置すると、図示せぬ原稿検知センサが給紙トレイ１上に原稿が載置されたことを検知して処理制御部ＣＰＵに信号を与え、この信号を受け処理制御部ＣＰＵの流し読取モードが起動する。この起動により、片面読取か両面同時読取かの選択画面が連結するパソコン画面に表示され、片面読取を選択すると、第１の原稿読取手段ＲＤ１が一旦白基準板ＷＢ３と対峙する移動位置P２に移動調整されると共に、照明光源ＬＤ１を点灯し、照明光源ＬＤ１の光量が安定する時間を待って白基準板ＷＢ３からの反射光の主走査方向における各光量値をシェーディング補正データとして受光素子ＣＣＤ１により取得して、その取得データをシェーディング補正データ１として図３で示すシェーディング補正メモリＲＭ２に記憶保管する。そして、そのシェーディング補正データ１を先に補正係数格納メモリＲＭ１に記憶保管した補正係数１のデータ値を使って補正する。その状態で、第１の原稿読取手段ＲＤ１が片面流し読取位置である移動位置Ｐ１に移動しセットされ、自動原稿搬送装置ＤＦにより搬送される搬送原稿の表面を読取る。
【００４０】
＜流し読取モード両面同時読取時の調整方法＞
一方、両面同時読取が選択されると、第１の原稿読取手段ＲＤ１は同様に一旦白基準板ＷＢ３と対峙する移動位置P２に移動調整されると共に、照明光源ＬＤ１を点灯し、照明光源ＬＤ１の光量が安定する時間を待って白基準板ＷＢ３からの反射光の主走査方向における各光量値をシェーディング補正データとして受光素子ＣＣＤ１により取得して、その取得データをシェーディング補正データ１として図３で示すシェーディング補正メモリＲＭ２に記憶保管する。同時に、第２の原稿読取手段ＲＤ２が照明光源ＬＤ２を点灯し、照明光源ＬＤ２の光量が安定する時間を待って白基準板ＷＢ２からの反射光の主走査方向における各光量値をシェーディング補正データとして受光素子ＣＣＤ２により取得して、その取得データをシェーディング補正データ２として図３で示すシェーディング補正メモリＲＭ２に記憶保管する。そして、そのシェーディング補正データ１、２を先に補正係数格納メモリＲＭ１に記憶保管した補正係数１と補正係数２のデータ値を使ってそれぞれ補正する。その状態で、第１の原稿読取手段ＲＤ１が片面流し読取位置である移動位置Ｐ１に移動しセットされるのを待って、自動原稿搬送装置ＤＦにより原稿の搬送が開始され、第１、第２の原稿読取手段ＲＤ１、ＲＤ２による搬送原稿の両面同時読取が行われる。
【００４１】
［具体的調整方法］
実際に、受光部での白基準板の反射率、また白基準板読取のＡ/D出力最大値を２２０／２５５にゲイン調整する場合、以下の様に調整が実行される。尚、ＦＢは固定読取モード時のＣＣＤ1補正調整、ＡＤＦ表は流し読取モード表面読取時のＣＣＤ1補正調整、ＡＤＦ裏は流し読取モード裏面読取時のＣＣＤ２補正調整を示す。
ＦＢ      ９０%×９８%×９４%の４乗≒６８．９%   A/D出力最大値：２２０
ＡＤＦ裏  ９０%×９５%×９４%の３乗≒７１．０%   A/D出力最大値：２２０
（ＡＤＦ表治具読取時  ９０%×９５%×９４%の４乗≒６６．８%   A/D出力：２１３）
同様に反射率５０%の原稿を読み取った場合の反射率とA/D出力は、
ＦＢ      ５０%×９８%×９４%の４乗≒３８．３%   A/D出力最大値：５０／９０×２２０
≒１２２
ＡＤＦ表  ５０%×９５%×９４%の４乗≒３７．１%   A/D出力最大値：５０／９０×２１３
≒１１８
ＡＤＦ裏  ５０%×９５%×９４%の３乗≒３９．５%   A/D出力最大値：５０／９０×２２０
≒１２２
となり、この状態でシェーディング補正を行うと、
ＦＢ  １２２／２２０≒５５．５%    ２５６階調：１２２／２２０×２５５≒１４１
ＡＤＦ表  １１８／２２０≒５３．６%    ２５６階調：１１８／２２０×２５５≒１３７
ＡＤＦ裏  １２２／２２０≒５５．５%    ２５６階調：１２２／２２０×２５５≒１４１
となり、各数値に差が発生し、また実際の原稿の反射率との違いも生じている。
そこで、この差と白基準板反射率（９０％）を補正する為に、以下のように補正係数を算出する。
ＦＢ  ２２０／ａ×９０%    ２５６階調：２２０／ａ×９０%×２５５
ＡＤＦ表  ２２０／ｂ×９０%    ２５６階調：２２０／ｂ×９０%×２５５
ＡＤＦ裏  ２２０／ｃ×９０%    ２５６階調：２２０／ｃ×９０%×２５５
尚、ａ、ｃはその機体の白基準板のシェーディング補正されていない読取データの最大値、ｂはその機体の白基準板治具のシェーディング補正されていない読取データの最大値とする。
ａ、ｂ、ｃを２２０、２１３、２２０とすると補正係数は、
ＦＢ  ９０%（２５６階調で表すと２３０となる。）    ・・・補正係数１
ＡＤＦ表  ９３%（２５６階調で表すと２３７となる。）
・・・補正係数２
ＡＤＦ裏  ９０%（２５６階調で表すと２３０となる。）
・・・補正係数３
これを前記５０%のシェーディング補正後のデータに乗ずると、
ＦＢ  ５５．５%×９０%≒５０%    ２５６階調：１４１×２３０／２５５≒１２７
ＡＤＦ表  ５３．６%×９３%≒５０%    ２５６階調：１３７×２３７／２５５≒１２７
ＡＤＦ裏  ５５．５%×９０%≒５０%    ２５６階調：１４１×２３０／２５５≒１２７
と読み取り部の構成の違いと白基準板の反射率が補正できる。尚、説明の簡易化のためにオフセットレベルは０とした。実際はオフセットレベルがあるのでその分を計算に考慮する必要がある。
【００４２】
［第二の実施形態］
図７は本発明の第二の実施形態に係る自動原稿搬送装置の要部を拡大した断面図である。先に説明した第一の実施形態では、補正係数の取得に際し、第１のコンタクトガラスＣＧ１上に予め準備しておいた白基準板（調整用治具部材）ＷＢ１を仮り置きして行うものであるが、装置構成上可能であれば、図示するように第３のコンタクトガラスＣＧ３の端部に第１のコンタクトガラスＣＧ１に処理した同様のコーティング材を主走査方向に帯状に処理することで、上記白基準板（調整用治具部材）ＷＢ１を使って行う工程を白基準板（調整用治具部材）ＷＢ１を用いず実施することが出来る。
【００４３】
［第三の実施形態］
また、図８は本発明の第三の実施形態に係る自動原稿搬送装置の要部を拡大した断面図である。この実施形態では、上記第１のコンタクトガラスＣＧ１のガラス幅を広げ、第３のコンタクトガラスＣＧ３に配置した白基準板ＷＢ３の下まで伸ばし配置したもので、上記第二の実施形態と同様に、上記白基準板（調整用治具部材）ＷＢ１を使って行う工程を白基準板（調整用治具部材）ＷＢ１を用いず実施することが出来る。
【符号の説明】
【００４４】
ＳＨ    原稿
ＣＧ１    第１のコンタクトガラス
ＣＧ２    第２のコンタクトガラス
ＣＧ３    第３のコンタクトガラス
ＲＤ１    第１の原稿読取手段
ＲＤ２    第２の原稿読取手段
ＷＢ１    第１の白基準板
ＷＢ２    第２の白色基準板
ＷＢ３    第３の白色基準板
ＳＴ１    ゲイン調整手段（ゲイン調整工程＜ステップ１＞）
ＳＴ２    補正係数取得手段（補正係数取得調整工程＜ステップ２＞）
ＳＴ３    シェーディング補正手段（シェーディング補正工程＜ステップ３＞）
ＣＵ      制御手段（制御ユニット）
ＷＢ１    第１の白基準板（調整用治具部材）
ＷＢ２    第２の白基準板
ＷＢ３    第３の白基準板
【図２】
2011071690.tif 000003
【図４】
2011071690.tif 000004
【図５】
2011071690.tif 000005
【図７】
2011071690.tif 000006
【図８】
2011071690.tif 000007
【図９】
2011071690.tif 000008
【図１】
2011071690.tif 000009
【図３】
2011071690.tif 000010
【図６】
2011071690.tif 000011